(57)【要約】  分岐路のナビ表示用方面案内看板を生成する方面案内看板生成部１３と、方面案内看板生成部１３により生成されたナビ表示用方面案内看板をディスプレイ９に表示する表示制御部１５と、自車が走行する道路の特徴位置、分岐先の施設と自車との位置関係および自車が走行する道路の利用状況のいずれかに基づいて、表示制御部１５がナビ表示用方面案内看板をディスプレイ９に表示する表示頻度を制御する表示頻度制御部１６とを備える。
2014054136.tif 000002
【特許請求の範囲】
【請求項１】
移動体に搭載されるナビゲーション装置であって、
分岐路のナビ表示用方面案内看板を生成する方面案内看板生成部と、
前記方面案内看板生成部により生成されたナビ表示用方面案内看板を表示部に表示する表示制御部と、
前記移動体が移動する道路の特徴位置、分岐先の施設と前記移動体との位置関係および前記移動体が移動する道路の利用状況のいずれかに基づいて、前記表示制御部が前記ナビ表示用方面案内看板を前記表示部に表示する表示頻度を制御する表示頻度制御部とを備えるナビゲーション装置。
【請求項２】
前記表示頻度制御部は、分岐路の路上方面案内看板が設置された位置ごとの表示頻度でナビ表示用方面案内看板を前記表示部に表示するように前記表示制御部を制御することを特徴とする請求項１記載のナビゲーション装置。
【請求項３】
前記表示頻度制御部は、前記移動体から施設までの距離が短くなるにつれて、当該施設に至るまでに存在する分岐路のナビ表示用方面案内看板に当該施設を表示する表示頻度を高くすることを特徴とする請求項１記載のナビゲーション装置。
【請求項４】
前記表示頻度制御部は、ユーザの自宅から所定距離以内にある分岐路についてナビ表示用方面案内看板の表示頻度を低くするまたは表示させないことを特徴とする請求項１記載のナビゲーション装置。
【請求項５】
前記表示頻度制御部は、常用道路にある分岐路についてナビ表示用方面案内看板の表示頻度を低くするまたは表示させないことを特徴とする請求項１記載のナビゲーション装置。
【請求項６】
前記表示頻度制御部は、前記表示制御部に対して、ユーザから要求された表示頻度で、前記ナビ表示用方面案内看板を前記表示部に表示させることを特徴とする請求項１記載のナビゲーション装置。
【請求項７】
前記表示頻度制御部は、前記表示制御部に対して、ユーザから表示要求があると、前記ナビ表示用方面案内看板を前記表示部に表示させることを特徴とする請求項１記載のナビゲーション装置。
【請求項８】
前記表示頻度制御部は、前記移動体が過去に移動した道路の移動回数または移動時期、もしくはその両方に応じて、当該道路に存在する分岐路のナビ表示用方面案内看板の表示頻度を制御することを特徴とする請求項１記載のナビゲーション装置。
【請求項９】
前記表示頻度制御部は、前記ナビ表示用方面案内看板を表示する表示頻度を、経路案内の設定がある場合と経路案内の設定がない場合で変更することを特徴とする請求項１記載のナビゲーション装置。
【請求項１０】
前記表示頻度制御部は、前記ナビ表示用方面案内看板を表示する表示頻度を、前記分岐先道路の道路状況に応じて変更することを特徴とする請求項１記載のナビゲーション装置。
【請求項１１】
前記表示頻度制御部は、前記ナビ表示用方面案内看板を表示する表示頻度を、前記移動体が位置する地域に応じて変更することを特徴とする請求項１記載のナビゲーション装置。
【請求項１２】
前記表示頻度制御部は、前記方面案内看板の表示内容の表示頻度を、気象状況に応じて変更することを特徴とする請求項１記載のナビゲーション装置。
【請求項１３】
前記表示頻度制御部は、前記ナビ表示用方面案内看板を表示する表示頻度を、前記移動体の乗員数に応じて変更することを特徴とする請求項１記載のナビゲーション装置。
【請求項１４】
前記表示頻度制御部は、前記ナビ表示用方面案内看板を表示する表示頻度を、時刻に応じて変更することを特徴とする請求項１記載のナビゲーション装置。
【請求項１５】
前記表示頻度制御部は、前記ナビ表示用方面案内看板を表示する表示頻度を、曜日に応じて変更することを特徴とする請求項１記載のナビゲーション装置。
【請求項１６】
前記表示頻度制御部は、前記ナビ表示用方面案内看板を表示する表示頻度を、前記移動体の移動速度に応じて変更することを特徴とする請求項１記載のナビゲーション装置。
【発明の詳細な説明】
【技術分野】
【０００１】
この発明は、ナビゲーション画面上に分岐路の方面案内看板（以下、ナビ表示用方面案内看板と呼ぶ）を表示するナビゲーション装置に関する。
【背景技術】
【０００２】
例えば、特許文献１には、経路案内にかかる案内情報を発生する頻度を変更可能なナビゲーション装置が開示されている。
【先行技術文献】
【特許文献】
【０００３】
【特許文献１】特開２００３−１５６３４８号公報
【発明の概要】
【発明が解決しようとする課題】
【０００４】
特許文献１に代表される従来の技術は、音声ガイダンスなどの案内情報を発生する頻度を変更するが、ナビゲーション画面にナビ表示用方面案内看板を表示する頻度を制御することは考慮されていなかった。このため、従来では、ユーザ（運転者）がナビ表示用方面案内看板を参照したいときに表示されず、反対にナビ表示用方面案内看板を参照する必要がない地域を走行しているときに頻繁に表示される可能性があり、ユーザ（運転者）にとって利用しやすい適切な頻度でナビ表示用方面案内看板を表示していないという課題があった。【０００５】
この発明は、上記のような課題を解決するためになされたもので、ユーザ（運転者または同乗者）にとって利用しやすい適切な頻度でナビ表示用方面案内看板を表示することができるナビゲーション装置を得ることを目的とする。
【課題を解決するための手段】
【０００６】
この発明に係るナビゲーション装置は、分岐路のナビ表示用方面案内看板を生成する方面案内看板生成部と、方面案内看板生成部により生成されたナビ表示用方面案内看板を表示部に表示する表示制御部と、移動体が移動する道路の特徴位置、分岐先の施設と移動体との位置関係および移動体が移動する道路の利用状況のいずれかに基づいて、表示制御部がナビ表示用方面案内看板を表示部に表示する表示頻度を制御する表示頻度制御部とを備える。
【発明の効果】
【０００７】
この発明によれば、ユーザにとって利用しやすい適切な頻度でナビ表示用方面案内看板を表示することができるという効果がある。
【図面の簡単な説明】
【０００８】
【図１】この発明に係るナビゲーション装置の構成を示すブロック図である。
【図２】この発明に係るナビゲーション装置の制御部の構成を示すブロック図である。
【図３】実施の形態１に係るナビゲーション装置の動作を示すフローチャートである。
【図４】実施の形態１におけるナビ表示用方面案内看板を表示する頻度の概要を示す図である。
【図５】実施の形態１において、ナビ表示用方面案内看板が表示されたナビゲーション画面の一例を示す図である。
【図６】この発明の実施の形態２に係るナビゲーション装置の動作を示すフローチャートである。
【図７】実施の形態２におけるナビ表示用方面案内看板の表示内容ついての表示頻度の概要を示す図である。
【図８】この発明の実施の形態３に係るナビゲーション装置の動作を示すフローチャートである。
【図９】この発明の実施の形態４に係るナビゲーション装置の動作を示すフローチャートである。
【図１０】この発明の実施の形態５に係るナビゲーション装置の動作（例１）を示すフローチャートである。
【図１１】実施の形態５に係るナビゲーション装置の動作（例２）を示すフローチャートである。
【図１２】この発明の実施の形態６に係るナビゲーション装置の動作（例１）を示すフローチャートである。
【図１３】実施の形態６に係るナビゲーション装置の動作（例２）を示すフローチャートである。
【図１４】実施の形態６に係るナビゲーション装置の動作（例３）を示すフローチャートである。
【発明を実施するための形態】
【０００９】
以下、この発明をより詳細に説明するため、この発明を実施するための形態について、添付の図面に従って説明する。
実施の形態１．
図１は、この発明に係るナビゲーション装置の構成を示すブロック図である。図１に示すように、ナビゲーション装置１は、移動体（例えば車両）に搭載され、通信処理部２、交通情報受信部３、ジャイロセンサ４、車速信号処理部５、ＧＰＳ信号受信処理部６、制御部７、入力処理部８、ディスプレイ９、アンプ１０および記憶部１１を備える。なお、移動体には、車両の他に、ナビゲーション装置１を携帯して移動する人も含まれる。
以降では、移動体が車両（以下、自車と呼ぶ）であるものとして説明を行う。
【００１０】
また、この発明に係るナビゲーション装置１は、自車の位置と地図データとに基づいて自車の運転者に対して道案内を行うだけではなく、自車の進行方向にある分岐路のナビ表示用方面案内看板を表示する。
なお、以降では、ナビゲーション装置１が、分岐路の分岐先にある施設の施設名を、ユーザの嗜好に応じて案内するナビ表示用方面案内看板を画面上に表示するものとする。
【００１１】
通信処理部２は、スマートフォンなどの携帯通信端末１２の無線通信手段を利用して、インターネットなどのネットワークを介して外部の情報センタ（図示せず）などとデータ通信を行う。このデータ通信によって、通信処理部２は、ユーザ（運転者または同乗者）の属性に応じた、施設情報、人気施設ランキング情報、気象情報などを取得する。
交通情報受信部３は、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ；登録商標、以下記載を省略する）情報センタ（図示せず）から供給される渋滞情報や施設の駐車場の空き情報などのＶＩＣＳ情報（道路交通情報）を受信して制御部７に出力する。
【００１２】
ジャイロセンサ４は、自車の進行方向を相対方位として検出する方位センサである。
車速信号処理部５は、自車のＥＣＵ（電子制御ユニット；図示せず）から車速信号を入力して自車の速度を検出する。例えば、車速信号として車速パルス信号を入力して、車速パルス信号の変化から、自車が走行中であるか否かおよび車速を判断する。
ＧＰＳ（Ｇｌｏｂａｌ  Ｐｏｓｉｔｉｏｎｉｎｇ  Ｓｙｓｔｅｍ）信号受信処理部６は、車載ＧＰＳアンテナ６ａを介してＧＰＳ衛星から受信したＧＰＳ電波を解析して、自車の位置情報を取得する処理部である。
【００１３】
制御部７は、嗜好カテゴリに合致する施設名を案内するナビ表示用方面案内看板を生成してディスプレイ９に表示する制御部である。また、制御部７は、通信処理部２によって取得されたインターネット情報（例えば、ユーザの属性に応じた施設情報、人気施設ランキング情報、気象情報など）に基づいてナビ表示用方面案内看板の表示内容を変更する。さらに、制御部７は、自車が走行する道路の特徴位置、分岐先の施設と自車との位置関係および自車が走行する道路の利用状況のいずれかに基づいて、ナビ表示用方面案内看板をディスプレイ９に表示する頻度を制御する。
【００１４】
入力処理部８は、ユーザによる入力操作を受け付ける処理部であり、例えば操作キー、操作ボタン、タッチパネルなどの入力用ハードウェアと、これにより入力された入力信号を制御部７に出力するソフトウェアとから構成される。なお、この入力処理部８を介してユーザの嗜好カテゴリを記憶部１１に登録する処理、または記憶部１１に登録された嗜好カテゴリを変更または追加することができる。
【００１５】
ディスプレイ９は、制御部７によって表示処理が制御される表示部であり、例えばナビゲーション画面として自車位置付近の道路地図を表示したり、ナビ表示用方面案内看板を画面上に表示する。
アンプ１０は、ユーザに対して各種入力操作を指示する音声データあるいは経路案内の音声データを増幅してスピーカ１０ａに出力する。スピーカ１０ａは、アンプ１０で増幅された音声データを外部に出力する。
【００１６】
記憶部１１は、少なくとも施設情報および道路情報を含む地図データ、道路情報で特定される道路にある路上方面案内看板の設置位置情報が登録された設置位置データベース、ユーザ（運転者または同乗者）の嗜好カテゴリが登録された嗜好カテゴリデータベースを記憶する記憶部である。また、記憶部１１には、通信処理部２によって取得された情報（例えば、ユーザの属性に応じた施設情報、人気施設ランキング情報、気象情報など）も記憶してもよい。
なお、地図データとしては、通信処理部２によって外部の地図データサーバからダウンロードしたものであってもよい。また、記憶部１１には、例えば、ハードディスク装置、ＳＤカード、ＵＳＢメモリなどを用いてもよい。
【００１７】
図２は、この発明に係るナビゲーション装置の制御部の構成を示すブロック図である。図２に示すように、制御部７は、その機能構成として、方面案内看板生成部１３、位置方向検出部１４、表示制御部１５、表示頻度制御部１６および経路案内部１７を備える。
方面案内看板生成部１３は、ユーザ（運転者または同乗者）の嗜好カテゴリまたは入力処理部８を用いて入力された嗜好カテゴリ、位置方向検出部１４により検出された自車位置、および、記憶部１１に記憶される地図データに基づいて、自車の進行方向にある分岐路のナビ表示用方面案内看板を生成する。
位置方向検出部１４は、ジャイロセンサ４、車速信号処理部５、ＧＰＳ信号受信処理部６により取得された情報を用いて、車両の現在位置を検出する。
表示制御部１５は、ディスプレイ９による表示処理を制御する機能ブロックであって、例えば、自車位置付近の道路地図およびナビ表示用方面案内看板をディスプレイ９の画面上に表示する。
【００１８】
表示頻度制御部１６は、表示制御部１５がナビ表示用方面案内看板をディスプレイ９に表示する表示頻度を制御する。例えば、分岐路の手前にある道路の特徴位置に自車が到達するごとに分岐路のナビ表示用方面案内看板をディスプレイ９に表示するように表示制御部１５を制御する。なお、特徴位置とは、分岐路手前にある、ユーザ（運転者）が認識可能な、道路標識、道路標示またはユーザから要求された道路上の特定の位置である。
この実施の形態１に係る表示頻度制御部１６は、分岐路手前にある路上方面案内看板に着目しており、この路上方面案内看板が設置されている位置ごとに当該分岐路のナビ表示用方面案内看板を表示している。
【００１９】
経路案内部１７は、入力処理部８により設定入力された目的地、位置方向検出部１４が検出した自車位置情報、記憶部１１に記憶された地図データに基づいて、推奨経路を探索し、推奨経路の経路案内を行う。
なお、図示していないが、表示制御部１５によってナビ表示用方面案内看板がディスプレイ９に表示されたことをユーザに報知する報知部を設けてもよい。例えば、アンプ１０を介してスピーカ１０ａに報知音を出力したり、表示制御部１５に指示してディスプレイ９の画面またはナビ表示用方面案内看板を一時的に点滅またはハイライトに表示することにより、ナビ表示用方面案内看板が表示されたことを報知する。また、別に設けた報知用のＬＥＤ（図示せず）を発光させることで報知してもよい。
【００２０】
次に動作について説明する。
図３は、実施の形態１に係るナビゲーション装置の動作を示すフローチャートである。以降では、分岐路手前にある路上方面案内看板の設置位置ごとにナビ表示用方面案内看板を表示する表示頻度が、表示頻度制御部１６に設定されているものとする。
まず、方面案内看板生成部１３は、記憶部１１の記憶内容を参照して、ユーザ（運転者または同乗者）の嗜好データが記憶部１１に登録済みであるか否かを確認し、記憶部１１に嗜好データが登録されていれば、この嗜好データについて修正の必要がないかどうかを確認する（ステップＳＴ１）。
【００２１】
例えば、記憶部１１に、ユーザを識別する情報に対応付けて当該ユーザの嗜好データを登録しておき、方面案内看板生成部１３は、上記ユーザを識別する情報に基づいて記憶部１１の記憶内容を参照することで、当該ユーザの嗜好データが登録済みであるか否かを確認する。また、方面案内看板生成部１３が、表示制御部１５に指示して記憶部１１に登録された嗜好データをディスプレイ９に表示させ、入力処理部８を用いて修正を受け付けるＨＭＩ（ヒューマンマシンインタフェース）を提供する。
【００２２】
ユーザの嗜好データが記憶部１１に登録されていない場合、または、記憶部１１に登録された嗜好データを修正する必要がある場合（ステップＳＴ１；ＮＯ）、ユーザは、入力処理部８を用いて嗜好データを入力する（ステップＳＴ２）。
入力処理部８を用いて入力された嗜好データは、方面案内看板生成部１３を介して記憶部１１に登録される。
【００２３】
一方、ユーザの嗜好データが記憶部１１に登録されており、かつその嗜好データを修正する必要がない場合（ステップＳＴ１；ＹＥＳ）、あるいはステップＳＴ２の処理が完了した場合には、位置方向検出部１４が、自車の現在位置と進行方向を検出する（ステップＳＴ３）。次に、方面案内看板生成部１３が、位置方向検出部１４により検出された自車の現在位置と進行方向とに基づいて、記憶部１１の地図データから車両の進行方向にある分岐路を検出する（ステップＳＴ４）。続いて、方面案内看板生成部１３は、地図データから検出された自車の進行方向にある分岐路の形状を特定し（ステップＳＴ５）、特定した分岐路の形状に合わせてナビ表示用方面案内看板の矢印図形を選択する（ステップＳＴ６）。
【００２４】
次いで、方面案内看板生成部１３は、上記分岐路で分岐する各方面に存在する施設を、記憶部１１の地図データから検出する。この後、方面案内看板生成部１３は、検出結果の施設の施設名の中からユーザの嗜好カテゴリに合致する施設名を抽出し、検出結果の施設名および抽出結果の施設名を、ステップＳＴ６で選択した矢印図形に合成することによりナビ表示用方面案内看板を生成する（ステップＳＴ７）。
【００２５】
ここで、位置方向検出部１４が自車の現在位置を再度検出する（ステップＳＴ８）。
表示頻度制御部１６は、位置方向検出部１４により検出された自車の現在位置に基づいて記憶部１１に記憶されている設置位置データベースを検索し、自車が次の分岐路の路上方面案内看板の設置位置（特徴位置）に到達したか否かを判定する（ステップＳＴ９）。このとき、自車の現在位置が路上方面案内看板の設置位置でなければ（ステップＳＴ９；ＮＯ）、路上方面案内看板の設置位置に自車が到達するまで、現在位置の検出および自車が路上方面案内看板の設置位置に到達したか否かの判定を繰り返す。
【００２６】
自車が路上方面案内看板の設置位置に到達した場合（ステップＳＴ９；ＹＥＳ）、表示頻度制御部１６は、当該分岐路のナビ表示用方面案内看板をディスプレイ９に表示するように表示制御部１５に指示する。このようにして、表示制御部１５は、路上方面案内看板の設置位置に自車が到達するごとに当該路上方面案内看板が示す分岐路のナビ表示用方面案内看板をディスプレイ９に表示する（ステップＳＴ１０）。
【００２７】
さらに、位置方向検出部１４が自車の現在位置を検出する（ステップＳＴ１１）。
表示頻度制御部１６は、位置方向検出部１４により検出された自車の現在位置に基づいて、記憶部１１に記憶されている地図データを参照することで、自車が上記分岐路を通過したか否かを判定する（ステップＳＴ１２）。ここで、自車が分岐路を通過していない場合（ステップＳＴ１２；ＮＯ）、自車が当該分岐路を通過するまで現在位置の検出および自車が当該分岐路を通過したか否かの判定を繰り返す。
【００２８】
一方、自車が当該分岐路を通過した場合（ステップＳＴ１２；ＹＥＳ）、表示頻度制御部１６は、通過した分岐路のナビ表示用方面案内看板の表示を終了するように表示制御部１５に指示する。表示制御部１５は、表示頻度制御部１６の指示に従って、ディスプレイ９の画面におけるナビ表示用方面案内看板の表示を終了する（ステップＳＴ１３）。この後、自車が走行している間は、ステップＳＴ３からステップＳＴ１３までの処理が繰り返される。
【００２９】
図４は、実施の形態１におけるナビ表示用方面案内看板を表示する頻度の概要を示す図である。図４（ａ）に示す交差点（分岐路）Ａ１は、その手前の道路に路上方面案内看板Ｂが設置された交差点を示しており、図４（ｂ）に示す交差点（分岐路）Ａ２は、路上方面案内看板が設置されていない交差点を示している。
交差点Ａ１において、路上方面案内看板Ｂは、上述したように予告案内、交差点案内など、その目的に応じて、その中心位置から所定の範囲にある推奨位置に設置されている。
そこで、この実施の形態１においては、図４（ａ）に示すように、路上方面案内看板Ｂの設置位置に自車が到達するごとに、交差点Ａ１のナビ表示用方面案内看板をディスプレイ９に表示する。
【００３０】
一方、図４（ｂ）のように、路上方面案内看板が設置されていない交差点Ａ２については、たとえ、分岐路であっても、ナビ表示用方面案内看板を表示しない。
このような分岐路は、ユーザ（運転者）が視認可能な道路の特徴物から特定される特徴位置がない分岐路といえる。従って、この特徴位置とナビ表示用方面案内看板の表示とを関連付けることができないため、ナビ表示用方面案内看板は、ナビゲーション装置側から一方的に表示されることになる。この場合、ユーザには、ナビ表示用方面案内看板を参照して進路決定しようとする心構えができていないことが多く、進路決定に利用されない可能性が高い。これにより、路上方面案内看板が設置されていない交差点Ａ２では、ナビ表示用方面案内看板を表示しない。
【００３１】
また、図３の処理では、自車の現在位置に基づいて記憶部１１における路上方面案内看板の設置位置データベースを検索した結果から、路上方面案内看板の設置位置に自車が到達したか否かを判定していた。この場合、設置位置データベースに登録されていない路上方面案内看板については、設置位置への到達を判定することができない。
そこで、自車に搭載したカメラで路上方面案内看板が検出された場合に、この路上方面案内看板の設置位置に自車が到達したと判定してもよい。
例えば、車両に搭載されたカメラで車両外部を撮影し、カメラ画像解析部（図示せず）が撮影映像を画像解析して路上方面案内看板と見なせるパターンが検出された場合に、表示頻度制御部１６が、自車が路上方面案内看板の設置位置に到達したと判定する。
この場合、表示頻度制御部１６が、この映像をカメラが撮影した位置を、路上方面案内看板の設置位置として設置位置データベースに登録してもよい。
【００３２】
また、上述の説明では、自車が路上方面案内看板の設置位置に到達するごとにナビ表示用方面案内看板を表示する表示頻度を示したが、路上方面案内看板の設置位置の手前にある所定位置に自車が到達するごとに表示する表示頻度としてもよい。
ここで、路上方面案内看板の設置位置の手前にある所定位置とは、路上方面案内看板の設置位置に自車が到達する前に、ユーザ（運転者）の前方視野から当該路上方面案内看板を視認可能な位置を示しており、設置位置の手前にユーザが視認可能な所定の距離または所定の時間だけ離れた位置となる。
例えば、ユーザが、路上方面案内看板の外形は見えるが、その表示内容が見えない位置に自車が到達した場合にナビ表示用方面案内看板を表示する。
このようにすることにより、路上方面案内看板の設置位置で表示する場合よりも余裕を持ってナビ表示用方面案内看板を利用した進路決定を行うことが可能となる。
【００３３】
さらに、上述の説明では、自車が路上方面案内看板の設置位置または設置位置の手前にある所定位置に到達するごとにナビ表示用方面案内看板を表示する場合を示したが、分岐路の右左折専用レーンの手前にある所定位置に自車が到達するごとにナビ表示用方面案内看板を表示してもよい。なお、右左折レーンの手前にある所定位置としては、ユーザ（運転者）の前方視野から右左折レーンを視認可能な位置である。例えば、右左折レーンの開始位置から、ユーザが右左折レーンを視認可能な所定の距離または所定の時間だけ離れた位置となる。このようにしても、ユーザは、右左折レーンを視認する度にナビ表示用方面案内看板されることを認識できるため、ナビ表示用方面案内看板を利用しやすくなる。
【００３４】
図５は、実施の形態１において、ナビ表示用方面案内看板が表示されたナビゲーション画面の一例を示す図である。図５に示すように、ナビゲーション装置１は、ディスプレイ９にナビゲーション画面１９を表示した状態で、ナビ表示用方面案内看板２０を表示し、ナビゲーション画面１９における、このナビ表示用方面案内看板２０を除くエリアのほぼ中央に自車マーク２１を表示する。
【００３５】
また、図５に示す例では、ユーザの嗜好カテゴリが“歴史的建造物”および“自然”である場合、交差点（分岐路）２２から左方向に“バラ公園”、直進方向に“博物館ａ”、右方向に“◇◇温泉”を表示している。
なお、直進方向にのみ２つ以上の施設名を表示してもよい。これは、各方向に該当する施設が複数ある場合、自車からの位置が近いものを２つまで表示するなどのルールを定めておき、これに従って表示すればよい。
【００３６】
さらに、図５の例では、実際の地図において、○○デパートが寺ａよりも自車の近くにあるので、ナビゲーション装置１は、ナビゲーション画面１９に○○デパートのアイコンを自車マーク２１の近くに表示しているが、例えば、“寺ａ；２ｋｍ”、“○○デパート；１ｋｍ”というように、交差点２２からの距離も同時に表示してもよい。
また、ナビ表示用方面案内看板において、３つ以上の施設が表示対象である場合には、さらに続きがあることを示すアイコンなどを表示し、そのアイコンをタッチすることで、続きの施設も見られるようにしてもよい。
【００３７】
このように、分岐路に近づくと、ナビ表示用方面案内看板を用いて、運転者または同乗者の嗜好に応じた周辺おすすめ施設を表示することにより、周辺にどのような施設があるかを確認しておかなくても、適切な施設を訪問することができる。
また、近くに嗜好に合った施設が存在していたことに気付かずに通り過ぎてしまうことがないので、“あのとき、立ち寄れば良かった”などと後悔しなくて済む、という効果もある。
【００３８】
また、ナビ表示用方面案内看板の生成および表示は、ナビゲーション装置１において、目的地を設定されていない場合にのみ実行するようにしてもよい。
これにより、目的地設定をしないで走行している場合であっても、分岐路に近づくと、運転者または同乗者の嗜好に応じた周辺おすすめ施設を提示してくれるので、事前に目的地を設定したり、周辺にどのような施設があるかを確認しておかなくても、嗜好に合った施設を訪問することができる。また、自車の近くに嗜好に合った施設が存在していたことに気付かずに通り過ぎることも防止できる。
【００３９】
さらに、目的地を設定されている場合には、ナビ表示用方面案内看板において、目的地設定された施設名を最上位に表示したり、点滅表示させたり、他の施設名称と異なる文字表示色にするなどの強調表示を行い、他の周辺おすすめ施設については非強調表示とするようにしてもよい。これにより、あらかじめ設定されている目的地と他の周辺のおすすめ施設のいずれを先に訪問するとよいかを判断しやすくなり、時間を有効活用することができる。
【００４０】
以上のように、この実施の形態１によれば、分岐路のナビ表示用方面案内看板を生成する方面案内看板生成部１３と、方面案内看板生成部１３により生成されたナビ表示用方面案内看板をディスプレイ９に表示する表示制御部１５と、自車が走行する道路の特徴位置に基づいて、表示制御部１５がナビ表示用方面案内看板をディスプレイ９に表示する表示頻度を制御する表示頻度制御部１６とを備える。
このように構成することで、ユーザが利用しやすい適切な頻度でナビ表示用方面案内看板を表示することが可能となる。すなわち、分岐路手前にある、ユーザが認識可能な道路の特徴位置に自車が到達する度にナビ表示用方面案内看板が表示されることから、ユーザは、特徴位置でナビ表示用方面案内看板が表示されることを認識できるため、ナビ表示用方面案内看板を利用しやすくなる。
【００４１】
また、この実施の形態１によれば、表示頻度制御部１６が、分岐路の路上方面案内看板が設置された位置ごとの表示頻度でナビ表示用方面案内看板をディスプレイ９に表示するように表示制御部１５を制御する。このようにすることで、ユーザは、上記特徴位置として分岐路手前にある路上方面案内看板でナビ表示用方面案内看板が表示されることを認識できるため、ナビ表示用方面案内看板を利用しやすくなる。
【００４２】
実施の形態２．
この実施の形態２に係るナビゲーション装置においては、表示頻度制御部１６が、方面案内看板生成部１３によるナビ表示用方面案内看板の生成を制御して、当該ナビ表示用方面案内看板の表示内容の表示頻度を制御する。その他の構成および機能については、上記実施の形態１に係るナビゲーション装置と同様である。
【００４３】
図６は、この発明の実施の形態２に係るナビゲーション装置の動作を示すフローチャートである。図６において、ステップＳＴ１ａからステップＳＴ６ａまでの処理は、図３のステップＳＴ１からステップＳＴ６までの処理と同様である。
以降では、自車が分岐路を通過するごとに進行方向にある次の分岐路のナビ表示用方面案内看板を表示する表示頻度が、表示頻度制御部１６に設定されているものとする。
【００４４】
ステップＳＴ７ａにおいて、方面案内看板生成部１３は、自車の進行方向にある次の分岐路で分岐する各方面に存在する施設を、記憶部１１の地図データから検出する。
この後、方面案内看板生成部１３は、検出結果の施設の施設名の中から、ユーザの嗜好カテゴリに合致する施設名を抽出する。
【００４５】
次に、表示頻度制御部１６は、位置方向検出部１４によって検出された自車の現在位置と進行方向に基づいて記憶部１１に記憶されている地図データの道路情報を検索し、自車から進行方向にある、ユーザの嗜好に合った施設（以下、お勧め施設と呼ぶ）までの距離が所定のＮｍ以上であるか否かを判定する（ステップＳＴ８ａ）。
このとき、自車の現在位置がお勧め施設までＮｍ以上の位置である場合（ステップＳＴ８ａ；ＹＥＳ）、表示頻度制御部１６は、上記お勧め施設までに存在する分岐路ａ個おきのナビ表示用方面案内看板に、このお勧め施設の施設名を表示する表示頻度を選択する（ステップＳＴ９ａ）。
【００４６】
自車の現在位置がお勧め施設までＮｍ未満の位置である場合（ステップＳＴ８ａ；ＮＯ）、表示頻度制御部１６は、自車から進行方向にある、このお勧め施設までの距離が所定のＭ（＜Ｎ）ｍ以上であるか否かを判定する（ステップＳＴ１０ａ）。
このとき、自車の現在位置がお勧め施設までＭｍ以上の位置である場合（ステップＳＴ１０ａ；ＹＥＳ）、表示頻度制御部１６は、お勧め施設までに存在する分岐路ｂ（＜ａ）個おきのナビ表示用方面案内看板に、このお勧め施設の施設名を表示する表示頻度を選択する（ステップＳＴ１１ａ）。
【００４７】
一方、自車の現在位置がお勧め施設までＭｍ未満の位置である場合（ステップＳＴ１０ａ；ＮＯ）には、表示頻度制御部１６は、お勧め施設までに存在する全ての分岐路のナビ表示用方面案内看板に、このお勧め施設の施設名を表示する表示頻度を選択する（ステップＳＴ１２ａ）。
【００４８】
次に、方面案内看板生成部１３は、自車の進行方向にある次の分岐路で分岐する各方面に存在する施設を記憶部１１の地図データから検出する。
この後、方面案内看板生成部１３は、表示頻度制御部１６により選択された表示頻度に従って、検出結果の施設の施設名の中からお勧め施設の施設名を抽出する（ステップＳＴ１３ａ）。
【００４９】
次いで、方面案内看板生成部１３は、自車の進行方向にある次の分岐路で分岐する各方面に存在する施設の施設名を、ステップＳＴ６ａで選択した矢印図形に合成することで、ナビ表示用方面案内看板を生成する（ステップＳＴ１４ａ）。
なお、お勧め施設の施設名については、方面案内看板生成部１３が、表示頻度制御部１６により選択された表示頻度で抽出してナビ表示用方面案内看板の矢印図形に合成する。
【００５０】
このようにしてナビ表示用方面案内看板が生成されると、表示頻度制御部１６は、上記ナビ表示用方面案内看板をディスプレイ９に表示するように表示制御部１５に指示する。表示制御部１５は、表示頻度制御部１６の指示に従ってナビ表示用方面案内看板をディスプレイ９に表示する（ステップＳＴ１５ａ）。
以降のステップＳＴ１６ａからステップＳＴ１８ａまでの処理は、図３のステップＳＴ１１からステップＳＴ１３までの処理と同様である。ステップＳＴ１８ａの処理が完了すると、ステップＳＴ４ａの処理に戻って、上述した処理を、自車が停止（エンジンオフ）されるまで繰り返す。
【００５１】
図７は、実施の形態２におけるナビ表示用方面案内看板の表示内容ついての表示頻度の概要を示す図である。ここで、図７（ａ）は、地図上の自車の進行状況を示す図であり、図７（ｂ）は、図７（ａ）の各ポイントにおけるナビ表示用方面案内看板を示している。
なお、図７においても、自車が分岐路を通過するごとに進行方向にある次の分岐路のナビ表示用方面案内看板を表示する表示頻度が、表示頻度制御部１６に設定されているものとする。また、図７に示す例は、ユーザの嗜好カテゴリが“温泉”、“歴史的建造物”、“娯楽”および“自然”である場合を示している。さらに、自車は、ポイント（１）からポイント（４）までを通る経路２３で走行している。
【００５２】
図７（ｂ）に示すように、ポイント（１）で表示されるナビ表示用方面案内看板２０には、自車の進路方向の分岐先に“運動公園”と“ショッピングセンター”とが表示され、右折方面には、お勧め施設（図中に破線の囲みで示す）である“テーマパーク”と“◇◇温泉”が表示されている。
なお、説明の補助として、図７（ｂ）のナビ表示用方面案内看板に、自車の進行方向を示す矢印および自車マーク２１を記載しているが、実際のナビ表示用方面案内看板には、これらの表記はされないものとする。
【００５３】
ポイント（１）の先にある分岐路を右折して、自車がポイント（２）に到達したものとする。このポイント（２）は、お勧め施設である“テーマパーク”までの距離がＮｍ以上の位置であるものとする。このため、表示頻度制御部１６は、“テーマパーク”までに存在する分岐路３（＝ａ）個おきのナビ表示用方面案内看板に施設名“テーマパーク”を表示する表示頻度を選択している。
一方、お勧め施設“◇◇温泉”については、ポイント（２）から“◇◇温泉”までの距離がＭｍ未満であるものとする。このため、表示頻度制御部１６は、“◇◇温泉”までに存在する全ての分岐路のナビ表示用方面案内看板に施設名“◇◇温泉”を表示する表示頻度を選択している。
これにより、ポイント（２）から自車の進行方向にある次の分岐路の分岐先に“テーマパーク”と“◇◇温泉”がある場合、図７（ｂ）に示すように、この分岐路のナビ表示用方面案内看板に“◇◇温泉”は表示されるが、“テーマパーク”は表示されない。
【００５４】
ポイント（２）の先にある分岐路を直進して、自車がポイント（３）に到達したものとする。このポイント（３）においても、“テーマパーク”までの距離がＮｍ以上であるものとする。このため、表示頻度制御部１６は、“テーマパーク”までに存在する分岐路ａ個（例えば、３個）おきのナビ表示用方面案内看板に施設名“テーマパーク”を表示する表示頻度を選択している。
一方、お勧め施設“◇◇温泉”および“神社ａ”については、ポイント（３）からの距離がＭｍ未満であるものとする。このため、表示頻度制御部１６は、“◇◇温泉”および“神社ａ”までに存在する全ての分岐路のナビ表示用方面案内看板に施設名“◇◇温泉”および“神社ａ”を表示する表示頻度を選択している。
これにより、ポイント（３）から自車の進行方向にある次の分岐路の分岐先に“テーマパーク”、“◇◇温泉”および“神社ａ”がある場合、図７（ｂ）に示すように、この分岐路のナビ表示用方面案内看板に“◇◇温泉”および“神社ａ”は表示されるが、“テーマパーク”は表示されない。
【００５５】
ポイント（３）の先にある分岐路を直進して、自車がポイント（４）に到達したものとする。このポイント（４）は“テーマパーク”までの距離がＭｍ以上であるものとする。このため、表示頻度制御部１６は、“テーマパーク”までに存在する分岐路ｂ個（例えば、２個）おきのナビ表示用方面案内看板に施設名“テーマパーク”を表示する表示頻度を選択している。
また、お勧め施設“◇◇温泉”および“神社ａ”については、自車が分岐路を通過しているため、ポイント（４）の先にある分岐路のナビ表示用方面案内看板における表示対象として抽出されない。
一方、お勧め施設“バラ公園”は、ポイント（３）からの距離がＭｍ未満であるものとする。このため、表示頻度制御部１６は、“バラ公園”までに存在する全ての分岐路のナビ表示用方面案内看板に施設名“バラ公園”を表示する表示頻度を選択している。
これにより、ポイント（４）から自車の進行方向にある次の分岐路の分岐先に“テーマパーク”および“バラ公園”がある場合、図７（ｂ）に示すように、この分岐路のナビ表示用方面案内看板に“テーマパーク”および“バラ公園”が表示される。
【００５６】
このように、お勧め施設までの距離に応じてナビ表示用方面案内看板における施設名の表示頻度を変更する。特に、自車に近い施設の施設名の表示頻度を高くすることにより、ユーザ（運転者）がお勧め施設を見落としにくいナビ表示用方面案内看板を提供することができる。これにより、ユーザが気付かずに行き過ぎてしまうことを防止できる。
一方、自車から遠いほど多数の分岐先の施設が表示対象となるため、これらを全て表示するとナビ表示用方面案内看板が繁雑になる。そこで、自車から遠い施設の施設名の表示頻度を低くすることにより、ナビ表示用方面案内看板に表示すべき施設名の数を低減することができる。
【００５７】
以上のように、この実施の形態２によれば、表示頻度制御部１６が、分岐先の施設と自車との位置関係に基づいて、ナビ表示用方面案内看板に表示する施設名の表示頻度を制御する。特に、車両から施設までの距離が短くなるにつれて当該施設に至るまでに存在する分岐路のナビ表示用方面案内看板に当該施設を表示する表示頻度を高くすることにより、表示された施設を見落しにくいナビ表示用方面案内看板を提供することができる。
【００５８】
実施の形態３．
この実施の形態３に係るナビゲーション装置においては、表示頻度制御部１６が、自車が走行する道路の利用状況を間接的に示すユーザの自宅からの距離に応じて、ナビ表示用方面案内看板の表示頻度を制御する。
その他の構成および機能については、上記実施の形態１に係るナビゲーション装置と同様である。
【００５９】
図８は、この発明の実施の形態３に係るナビゲーション装置の動作を示すフローチャートである。図８において、ステップＳＴ１ｂからステップＳＴ８ｂまでの処理は、図３のステップＳＴ１からステップＳＴ８までの処理と同様である。
ステップＳＴ９ｂにおいて、表示頻度制御部１６は、位置方向検出部１４によって検出された自車の現在位置に基づいて記憶部１１に記憶されている地図データを検索することにより、現在、自車が位置する経路があらかじめ設定した自宅位置からＬｋｍ以上離れているか否かを判定する。
【００６０】
このとき、自車が位置する経路が自宅位置からＬｋｍ未満の範囲内である場合（ステップＳＴ９ｂ；ＮＯ）、ナビ表示用方面案内看板を表示せずに、自車が自宅位置からＬｋｍ以上離れるまで、現在位置の検出および自車が位置する経路が自宅位置からＬｋｍ以上離れているか否かの判定を繰り返す。
【００６１】
一方、自車が位置する経路があらかじめ設定した自宅位置からＬｋｍ以上離れている場合（ステップＳＴ９ｂ；ＹＥＳ）、表示頻度制御部１６は、ナビ表示用方面案内看板をディスプレイ９に表示するよう表示制御部１５に指示する。表示制御部１５は、表示頻度制御部１６の指示に従ってナビ表示用方面案内看板をディスプレイ９に表示する（ステップＳＴ１０ｂ）。以降のステップＳＴ１１ｂからステップＳＴ１３ｂまでの処理は、図３のステップＳＴ１１からステップＳＴ１３までの処理と同様である。
【００６２】
なお、図８では、自車が位置する経路が自宅位置からＬｋｍ未満の範囲内である場合には、ナビ表示用方面案内看板を表示しなかったが、その表示頻度を所定値よりも低くするように制御してもよい。例えば、自宅までの経路に複数の分岐路が存在する場合には、複数の分岐路おきにナビ表示用方面案内看板を表示する。
【００６３】
以上のように、この実施の形態３によれば、表示頻度制御部１６が、ユーザの自宅から所定距離以内にある分岐路についてナビ表示用方面案内看板の表示頻度を低くするまたは表示させないので、ユーザが知っている可能性が高い自宅から所定距離以内にある施設がナビ表示用方面案内看板に不要に表示されることを防止できる。
【００６４】
実施の形態４．
この実施の形態４に係るナビゲーション装置においては、表示頻度制御部１６が、自車が走行する道路の利用状況として常用道路であるかどうかに応じて、ナビ表示用方面案内看板の表示頻度を制御する。その他の構成および機能については、上記実施の形態１に係るナビゲーション装置と同様である。
【００６５】
図９は、この発明の実施の形態４に係るナビゲーション装置の動作を示すフローチャートである。図９において、ステップＳＴ１ｃからステップＳＴ８ｃまでの処理は、図３のステップＳＴ１からステップＳＴ８までの処理と同様である。
なお、記憶部１１には、ユーザ（運転者）が常用する経路があらかじめ登録されているものとする。例えば、自車の走行の度に記憶部１１に走行履歴情報を保存しておき、走行回数が所定値を超えた経路を常用経路としてもよい。
【００６６】
ステップＳＴ９ｃにおいて、表示頻度制御部１６は、位置方向検出部１４によって検出された自車の現在位置に基づいて記憶部１１に記憶されている地図データを検索することにより、現在、自車が位置する経路が常用経路であるか否かを判定する。このとき、自車が位置する経路が常用経路である場合（ステップＳＴ９ｃ；ＹＥＳ）、ナビ表示用方面案内看板を表示せずに、自車が常用経路から離れるまで、現在位置の検出および自車が常用経路にいるか否かの判定を繰り返す。
【００６７】
一方、自車が位置する経路が常用経路ではない場合（ステップＳＴ９ｃ；ＮＯ）、表示頻度制御部１６は、ナビ表示用方面案内看板をディスプレイ９に表示するよう表示制御部１５に指示する。表示制御部１５は、表示頻度制御部１６の指示に従ってナビ表示用方面案内看板をディスプレイ９に表示する（ステップＳＴ１０ｃ）。
以降のステップＳＴ１１ｃからステップＳＴ１３ｃまでの処理は、図３のステップＳＴ１１からステップＳＴ１３までの処理と同様である。
【００６８】
なお、図９では、自車が位置する経路が常用経路である場合はナビ表示用方面案内看板を表示しなかったが、その表示頻度を所定値よりも低くするように制御してもよい。例えば、常用経路に複数の分岐路が存在する場合、複数の分岐路おきにナビ表示用方面案内看板を表示する。
【００６９】
以上のように、この実施の形態４によれば、表示頻度制御部１６が、常用道路にある分岐路についてナビ表示用方面案内看板の表示頻度を低くするまたは表示させないので、ユーザが知っている可能性が高い常用経路周辺にある施設がナビ表示用方面案内看板に不要に表示されることを防止できる。
【００７０】
実施の形態５．
実施の形態５に係るナビゲーション装置においては、表示頻度制御部１６が、ユーザが指定した表示頻度、すなわちユーザが指定した表示ポイント（道路の特徴位置）に自車が到達するごとにナビ表示用方面案内看板を表示するように制御する。
なお、その他の構成および機能については、上記実施の形態１に係るナビゲーション装置と同様である。
【００７１】
図１０は、この発明の実施の形態５に係るナビゲーション装置の動作（例１）を示すフローチャートである。まず、方面案内看板生成部１３は、記憶部１１の記憶内容を参照して、ユーザ（運転者または同乗者）の嗜好データ、または、ユーザが所望するナビ表示用方面案内看板の表示頻度情報が記憶部１１に登録済みであるか否かを確認し、これらのデータが記憶部１１に登録されていれば、これらのデータについて修正の必要がないかどうかを確認する（ステップＳＴ１ｄ）。この処理の詳細は、図３のステップＳＴ１と同様である。
【００７２】
ユーザの嗜好データまたはユーザが所望するナビ表示用方面案内看板の表示頻度情報が記憶部１１に登録されていない場合、あるいは、記憶部１１における嗜好データまたは上記表示頻度情報を修正する必要がある場合（ステップＳＴ１ｄ；ＮＯ）、ユーザは、入力処理部８を用いて未登録または修正対象である嗜好データまたは上記表示頻度情報を入力する（ステップＳＴ２ｄ）。
入力処理部８を用いて入力された嗜好データは、方面案内看板生成部１３を介して記憶部１１に登録される。また、入力処理部８を用いて入力された上記表示頻度情報は、表示頻度制御部１６に設定される。
【００７３】
一方、ユーザの嗜好データおよび上記表示頻度情報が記憶部１１に登録されており、かつその嗜好データおよび上記表示頻度情報を修正する必要がない場合（ステップＳＴ１ｄ；ＹＥＳ）、あるいはステップＳＴ２ｄの処理が完了した場合は、位置方向検出部１４が自車の現在位置と進行方向を検出する（ステップＳＴ３ｄ）。
【００７４】
次に、表示頻度制御部１６は、位置方向検出部１４によって検出された自車の現在位置に基づいて、記憶部１１に記憶されている地図データを参照することにより、自車の現在位置が、ユーザから設定された表示頻度情報で指定されるポイント（特徴位置）であるか否かを判定する（ステップＳＴ４ｄ）。
このとき、自車の現在位置が上記ポイントでない場合（ステップＳＴ４ｄ；ＮＯ）は、上記ポイントに自車が到達するまで、現在位置の検出および自車が上記ポイントに到達したか否かの判定を繰り返す。
【００７５】
一方、自車の現在位置が上記ポイントである場合（ステップＳＴ４ｄ；ＹＥＳ）、方面案内看板生成部１３が、位置方向検出部１４により検出された自車の現在位置と進行方向とに基づいて、記憶部１１の地図データから車両の進行方向にある分岐路を検出する（ステップＳＴ５ｄ）。
続いて、方面案内看板生成部１３は、地図データから検出された自車の進行方向にある分岐路の形状を特定し（ステップＳＴ６ｄ）、特定した分岐路の形状に合わせてナビ表示用方面案内看板の矢印図形を選択する（ステップＳＴ７ｄ）。
【００７６】
次いで、方面案内看板生成部１３は、上記分岐路で分岐する各方面に存在する施設を、記憶部１１の地図データから検出する。
この後、方面案内看板生成部１３は、検出結果の施設の施設名の中から、ユーザの嗜好カテゴリに合致する施設名を抽出して、ステップＳＴ７ｄで選択した矢印図形に合成することにより、ナビ表示用方面案内看板を生成する（ステップＳＴ８ｄ）。
【００７７】
表示頻度制御部１６は、方面案内看板生成部１３によって生成された自車の進行方向にある次の分岐路についてのナビ表示用方面案内看板をディスプレイ９に表示するよう表示制御部１５に指示する。表示制御部１５は、表示頻度制御部１６からの指示に従って当該分岐路のナビ表示用方面案内看板をディスプレイ９に表示する（ステップＳＴ９ｄ）。
なお、この後のステップＳＴ１０ｄからステップＳＴ１２ｄまでの処理は、図３のステップＳＴ１１からステップＳＴ１３までの処理と同様である。
このようにすることで、ユーザが設定したポイント（特徴位置）ごとにナビ表示用方面案内看板が表示されるため、当該ナビ表示用方面案内看板を利用した進路決定を適切に行うことができる。
【００７８】
上述した例１は、ユーザが設定したポイントごとにナビ表示用方面案内看板を表示する場合を示したが、ユーザからの表示要求があった位置でナビ表示用方面案内看板を表示してもよい（例２）。
図１１は、実施の形態５に係るナビゲーション装置の動作（例２）を示すフローチャートである。図１１において、ステップＳＴ１ｅからステップＳＴ８ｅまでの処理は、図３のステップＳＴ１からステップＳＴ８までの処理と同様である。
【００７９】
ステップＳＴ７ｅの処理が完了すると、入力処理部８は、ユーザからナビ表示用方面案内看板の表示要求があったか否かを判定する（ステップＳＴ９ｅ）。
ここで、ユーザからナビ表示用方面案内看板の表示要求がなければ（ステップＳＴ９ｅ；ＮＯ）、ユーザからナビ表示用方面案内看板の表示要求があるまで、ユーザ操作の判定を繰り返す。
【００８０】
一方、ユーザからナビ表示用方面案内看板の表示要求があった場合（ステップＳＴ９ｅ；ＹＥＳ）、表示頻度制御部１６は、方面案内看板生成部１３によって生成された自車の進行方向にある次の分岐路についてのナビ表示用方面案内看板をディスプレイ９に表示するように表示制御部１５に指示する。表示制御部１５は、表示頻度制御部１６からの指示に従って、当該分岐路のナビ表示用方面案内看板をディスプレイ９に表示する（ステップＳＴ１０ｅ）。なお、以降のステップＳＴ１１ｅからステップＳＴ１３ｅまでの処理は、図３のステップＳＴ１１からステップＳＴ１３までの処理と同様である。
このようにすることで、ユーザが要求した位置でナビ表示用方面案内看板が表示されるため、当該ナビ表示用方面案内看板を利用した進路決定を適切に行うことができる。
例えば、自車を停車させた休憩時または自車の進行が滞る渋滞時において、ユーザが、次の分岐路についてのナビ表示用方面案内看板を好きなタイミングで表示させることができる。
【００８１】
以上のように、この実施の形態５によれば、表示頻度制御部１６が、表示制御部１５に対して、ユーザから要求された表示頻度で、ナビ表示用方面案内看板をディスプレイ９に表示させるので、ユーザが所望する頻度でナビ表示用方面案内看板を表示させることができ、ユーザにとって利用しやすい適切な頻度でナビ表示用方面案内看板を利用できる。
【００８２】
実施の形態６．
実施の形態６に係るナビゲーション装置においては、表示頻度制御部１６が、自車が走行する道路の利用状況として、自車が過去に走行した道路の走行回数または走行時期、もしくはその両方に応じて、当該道路に存在する分岐路のナビ表示用方面案内看板の表示頻度を制御する。なお、その他の構成および機能については、上記実施の形態１に係るナビゲーション装置と同様である。
【００８３】
図１２は、この発明の実施の形態６に係るナビゲーション装置の動作（例１）を示すフローチャートである。図１２において、ステップＳＴ１ｆからステップＳＴ７ｆまでの処理は、図６のステップＳＴ１ａからステップＳＴ７ａまでの処理と同様である。
なお、記憶部１１には、自車の走行経路ごとに走行回数および走行した時期が走行履歴情報として保存されているものとする。
【００８４】
ステップＳＴ８ｆにおいて、表示頻度制御部１６は、位置方向検出部１４によって検出された自車の現在位置と進行方向に基づいて、記憶部１１に記憶されている走行履歴情報を参照することで、現在、自車が位置する道路を走行した回数がＰ回以上であるか否かを判定する。このとき、自車が位置する道路を走行した回数がＰ回以上である場合（ステップＳＴ８ｆ；ＹＥＳ）、表示頻度制御部１６は、自車の進行方向に存在する分岐路ｃ個おきにナビ表示用方面案内看板を表示する表示頻度を選択する（ステップＳＴ９ｆ）。
【００８５】
自車が位置する道路を走行した回数がＰ回未満である場合（ステップＳＴ８ｆ；ＮＯ）、表示頻度制御部１６は、位置方向検出部１４によって検出された自車の現在位置と進行方向に基づいて、記憶部１１に記憶された走行履歴情報を参照することで、現在、自車が位置する道路が初めて走行する道路であるか否かを判定する（ステップＳＴ１０ｆ）。
このとき、自車が位置する道路が初めて走行する道路でない場合（ステップＳＴ１０ｆ；ＮＯ）、表示頻度制御部１６は、自車の進行方向に存在する分岐路ｄ（＜ｃ）個おきにナビ表示用方面案内看板を表示する表示頻度を選択する（ステップＳＴ１１ｆ）。
【００８６】
自車が位置する道路が初めて走行する道路である場合（ステップＳＴ１０ｆ；ＹＥＳ）には、表示頻度制御部１６は、自車の進行方向に存在する全ての分岐路のナビ表示用方面案内看板を表示する表示頻度を選択する（ステップＳＴ１２ｆ）。
【００８７】
次に、方面案内看板生成部１３は、自車の進行方向にある次の分岐路で分岐する各方面に存在する施設の施設名を、ステップＳＴ６ｆで選択した矢印図形に合成することによりナビ表示用方面案内看板を生成する（ステップＳＴ１３ｆ）。
次いで、表示頻度制御部１６は、上記ナビ表示用方面案内看板をディスプレイ９に表示するように表示制御部１５に指示する。表示制御部１５は、表示頻度制御部１６の指示に従ってナビ表示用方面案内看板をディスプレイ９に表示する（ステップＳＴ１４ｆ）。
以降のステップＳＴ１５ｆからステップＳＴ１７ｆまでの処理は、図３のステップＳＴ１１からステップＳＴ１３までの処理と同様である。ステップＳＴ１７ｆの処理が完了すると、ステップＳＴ４ｆの処理に戻って、上述した処理を、自車が停止（エンジンオフ）されるまで繰り返す。
このように、自車が走行した回数に応じた頻度でナビ表示用方面案内看板が表示されることから、ユーザ（運転者）の慣れ、不慣れを考慮した適切な表示頻度を決定することができる。
【００８８】
上述した例１は、走行した回数に応じてナビ表示用方面案内看板の表示頻度を決定する場合を示したが、最後に走行した時期に応じてナビ表示用方面案内看板の表示頻度を決定してもよい（例２）。
図１３は、実施の形態６に係るナビゲーション装置の動作（例２）を示すフローチャートである。図１３において、ステップＳＴ１ｇからステップＳＴ７ｇまでの処理は、図１２のステップＳＴ１ｆからステップＳＴ７ｆまでの処理と同様である。
なお、図１３においても、記憶部１１には、自車の走行経路ごとに走行回数および走行した時期が走行履歴情報として保存されているものとする。
【００８９】
ステップＳＴ８ｇにおいて、表示頻度制御部１６は、位置方向検出部１４によって検出された自車の現在位置と進行方向に基づいて、記憶部１１に記憶されている走行履歴情報を参照することで、現在、自車が位置する道路を最後に走行した時期がＱヶ月以前であるか否かを判定する。このとき、自車が位置する道路を最後に走行した時期がＱヶ月以前である場合（ステップＳＴ８ｇ；ＹＥＳ）、表示頻度制御部１６は、自車の進行方向に存在する分岐路ｃ個おきにナビ表示用方面案内看板を表示する表示頻度を選択する（ステップＳＴ９ｇ）。
【００９０】
自車が位置する道路を最後に走行した時期がＱヶ月以後であると（ステップＳＴ８ｇ；ＮＯ）、表示頻度制御部１６は、位置方向検出部１４によって検出された自車の現在位置と進行方向に基づいて、記憶部１１に記憶された走行履歴情報を参照することにより、現在、自車が位置する道路が初めて走行する道路であるか否かを判定する（ステップＳＴ１０ｇ）。このとき、自車が位置する道路が初めて走行する道路でない場合（ステップＳＴ１０ｇ；ＮＯ）、表示頻度制御部１６は、自車の進行方向に存在する分岐路ｄ（＜ｃ）個おきにナビ表示用方面案内看板を表示する表示頻度を選択する（ステップＳＴ１１ｇ）。
【００９１】
自車が位置する道路が初めて走行する道路である場合（ステップＳＴ１０ｇ；ＹＥＳ）には、表示頻度制御部１６は、自車の進行方向に存在する全ての分岐路のナビ表示用方面案内看板を表示する表示頻度を選択する（ステップＳＴ１２ｇ）。
【００９２】
次に、方面案内看板生成部１３は、自車の進行方向にある次の分岐路で分岐する各方面に存在する施設の施設名を、ステップＳＴ６ｇで選択した矢印図形に合成することによりナビ表示用方面案内看板を生成する（ステップＳＴ１３ｇ）。
次いで、表示頻度制御部１６は、上記ナビ表示用方面案内看板をディスプレイ９に表示するように表示制御部１５に指示する。表示制御部１５は、表示頻度制御部１６の指示に従ってナビ表示用方面案内看板をディスプレイ９に表示する（ステップＳＴ１４ｇ）。
以降のステップＳＴ１５ｇからステップＳＴ１７ｇまでの処理は、図３のステップＳＴ１１からステップＳＴ１３までの処理と同様である。ステップＳＴ１７ｇの処理が完了すると、ステップＳＴ４ｇの処理に戻って、上述した処理を、自車が停止（エンジンオフ）されるまで繰り返す。
このように、自車が最後に走行した時期に応じた頻度でナビ表示用方面案内看板が表示されることから、ユーザ（運転者）の記憶状況を考慮した適切な表示頻度を決定することができる。
【００９３】
上述した例１、２は、走行した回数、最後に走行した時期に応じてナビ表示用方面案内看板の表示頻度を決定する場合を示したが、これらを組み合わせた条件に応じてナビ表示用方面案内看板の表示頻度を決定してもよい（例３）。
図１４は、実施の形態６に係るナビゲーション装置の動作（例３）を示すフローチャートである。図１４において、ステップＳＴ１ｈからステップＳＴ７ｈまでの処理は、図１２のステップＳＴ１ｆからステップＳＴ７ｆまでの処理と同様である。
なお、図１４においても、記憶部１１には、自車の走行経路ごとに走行回数および走行した時期が走行履歴情報として保存されているものとする。
【００９４】
ステップＳＴ８ｈにおいて、表示頻度制御部１６は、位置方向検出部１４によって検出された自車の現在位置と進行方向に基づいて、記憶部１１に記憶された走行履歴情報を参照して、現在、自車が位置する道路が初めて走行する道路であるか否かを判定する。
このとき、自車が位置する道路が初めて走行する道路でない場合（ステップＳＴ８ｈ；ＮＯ）、表示頻度制御部１６は、位置方向検出部１４によって検出された自車の現在位置と進行方向に基づいて、記憶部１１に記憶された走行履歴情報を参照して、現在、自車が位置する道路を走行した回数がＰ回以上であるか否かを判定する（ステップＳＴ９ｈ）。
このとき、自車が位置する道路を走行した回数がＰ回以上である場合（ステップＳＴ９ｈ；ＹＥＳ）、表示頻度制御部１６は、自車の進行方向に存在する分岐路ｄ個おきにナビ表示用方面案内看板を表示する表示頻度を選択する（ステップＳＴ１０ｈ）。
【００９５】
自車が位置する道路を走行した回数がＰ回未満である場合（ステップＳＴ９ｈ；ＮＯ）、表示頻度制御部１６は、位置方向検出部１４によって検出された自車の現在位置と進行方向に基づいて、記憶部１１に記憶されている走行履歴情報を参照し、現在、自車が位置する道路を最後に走行した時期がＱヶ月以前であるか否かを判定する（ステップＳＴ１１ｈ）。このとき、自車が位置する道路を最後に走行した時期がＱヶ月以後である場合（ステップＳＴ１１ｈ；ＮＯ）、表示頻度制御部１６は、自車の進行方向に存在する分岐路ｃ（＞ｄ）個おきにナビ表示用方面案内看板を表示する表示頻度を選択する（ステップＳＴ１２ｈ）。
【００９６】
自車が位置する道路が初めて走行する道路である場合（ステップＳＴ８ｈ；ＹＥＳ）、もしくは、自車が位置する道路を最後に走行した時期がＱヶ月以前である場合（ステップＳＴ１１ｈ；ＹＥＳ）、表示頻度制御部１６は、自車の進行方向に存在する全ての分岐路のナビ表示用方面案内看板を表示する表示頻度を選択する（ステップＳＴ１３ｈ）。
【００９７】
次に、方面案内看板生成部１３は、自車の進行方向にある次の分岐路で分岐する各方面に存在する施設の施設名を、ステップＳＴ６ｈで選択した矢印図形に合成することによりナビ表示用方面案内看板を生成する（ステップＳＴ１４ｈ）。
次いで、表示頻度制御部１６は、上記ナビ表示用方面案内看板をディスプレイ９に表示するように表示制御部１５に指示する。表示制御部１５は、表示頻度制御部１６の指示に従ってナビ表示用方面案内看板をディスプレイ９に表示する（ステップＳＴ１５ｈ）。
以降のステップＳＴ１６ｈからステップＳＴ１８ｈまでの処理は、図３のステップＳＴ１１からステップＳＴ１３までの処理と同様である。ステップＳＴ１８ｈの処理が完了すると、ステップＳＴ４ｈの処理に戻って、上述した処理を、自車が停止（エンジンオフ）されるまで繰り返す。
このように、自車が走行した回数および最後に走行した時期に応じた頻度でナビ表示用方面案内看板が表示されることから、ユーザ（運転者）の慣れ、不慣れ、記憶状況を考慮した適切な表示頻度を決定することができる。
【００９８】
以上のように、この実施の形態６によれば、表示頻度制御部１６が、自車が過去に走行した道路の走行回数または走行時期、もしくはその両方に応じて、当該道路に存在する分岐路のナビ表示用方面案内看板の表示頻度を制御するので、ユーザ（運転者）の慣れ、不慣れ、記憶状況のいずれかを考慮した適切な表示頻度を決定することができる。
【００９９】
実施の形態７．
実施の形態７に係るナビゲーション装置においては、表示頻度制御部１６が、ナビ表示用方面案内看板を表示する表示頻度を、経路案内の設定がある場合と経路案内の設定がない場合で変更する。なお、その他の構成および機能については、上記実施の形態１に係るナビゲーション装置と同様である。
【０１００】
表示頻度制御部１６は、例えば、経路案内が設定されていなければ、経路案内が設定されている場合に比べて、ナビ表示用方面案内看板の表示頻度を低くする。
このようにすることで、経路案内が設定されていない場合は、ナビ表示用方面案内看板がディスプレイ９に表示される時間が少なくなるので、あくまで路上方面案内看板で自車の進路を決定し、ナビ表示用方面案内看板はその際の補助的な役割を持たせる場合に有効である。
【０１０１】
反対に、表示頻度制御部１６が、経路案内が設定されていなければ、経路案内が設定されている場合に比べて、ナビ表示用方面案内看板の表示頻度を高くしてもよい。
これにより、経路案内が設定されていない場合に、ナビ表示用方面案内看板がディスプレイ９に表示される時間が長くなる。このようにすれば、ナビ表示用方面案内看板を利用して進路を決定する時間（進路を検討する時間）を長くとることができる。また、ユーザの嗜好に合った施設を数多く提示することができる。
【０１０２】
以上のように、この実施の形態７によれば、表示頻度制御部１６が、ナビ表示用方面案内看板を表示する表示頻度を、経路案内の設定がある場合と経路案内の設定がない場合で変更するので、経路案内の設定の有無に応じた適切な頻度でナビ表示用方面案内看板を表示することができる。
【０１０３】
実施の形態８．
実施の形態８に係るナビゲーション装置においては、表示頻度制御部１６が、ナビ表示用方面案内看板を表示する頻度を、分岐路の分岐先道路の道路状況に応じて変更する。
なお、その他の構成および機能については、上記実施の形態１に係るナビゲーション装置と同様である。
【０１０４】
例えば、表示頻度制御部１６が、分岐路の分岐先道路が“片側一車線未満”の道路、すなわち、すれ違いにも苦労するような狭い道路の場合には、ナビ表示用方面案内看板の表示頻度を低くする、または表示させない。
具体的な一例を述べる。
分岐先道路が上記のような狭い道路であり、その道路を進むと、ユーザ（運転者または同乗者）の嗜好に極めて合致した施設があり他のルートが無い、または大きく遠回りルートになる場合は、ナビ表示用方面案内看板を表示させる。
しかし、狭い分岐先道路を進んでも積極的にお勧めする施設が無い場合は、ナビ表示用方面案内看板を表示させない。
【０１０５】
以上のように、この実施の形態８によれば、表示頻度制御部１６が、ナビ表示用方面案内看板を表示する表示頻度を分岐先道路の道路状況に応じて変更するので、自車が走行する道路の道路状況に応じた適切な頻度でナビ表示用方面案内看板を表示することができる。
【０１０６】
実施の形態９．
実施の形態９に係るナビゲーション装置においては、表示頻度制御部１６が、ナビ表示用方面案内看板を表示する頻度を、車両が位置する地域に応じて変更する。
なお、その他の構成および機能については、上記実施の形態１に係るナビゲーション装置と同様である。
【０１０７】
例えば、表示頻度制御部１６が、通信処理部２により取得された自車が位置する地域における観光情報、位置方向検出部１４により検出された自車の現在位置、および記憶部１１に記憶された地図データに基づいて、自車が観光地を走行しているか否かを判定する。
自車が観光地を走行している場合、表示頻度制御部１６は、それ以外の地域に比べて、ナビ表示用方面案内看板を表示する頻度を高くする。
このようにすることで、ナビ表示用方面案内看板を利用して進路を決定する時間（進路を検討する時間）を長くとることができる。また、ユーザの嗜好に合った施設を数多く提示することができる。
【０１０８】
また、自車が交通量の少ない地域（田舎地帯）を走行している場合は、表示頻度制御部１６が、交通量の多い地域に比べて、ナビ表示用方面案内看板の表示する頻度を高くしてもよい。田舎地帯では路上方面案内看板が少ないと考えられるため、このようにすることで、ナビ表示用方面案内看板を利用した進路決定を促進することができる。
【０１０９】
以上のように、この実施の形態９によれば、表示頻度制御部１６が、ナビ表示用方面案内看板を表示する表示頻度を車両が位置する地域に応じて変更するので、自車が走行する地域に応じた適切な頻度でナビ表示用方面案内看板を表示することができる。
【０１１０】
実施の形態１０．
実施の形態１０に係るナビゲーション装置においては、表示頻度制御部１６が、ナビ表示用方面案内看板の表示内容の表示頻度を、気象状況に応じて変更する。
なお、その他の構成および機能については、上記実施の形態１に係るナビゲーション装置と同様である。
【０１１１】
例えば、表示頻度制御部１６が、通信処理部２により取得された自車周辺の気象情報に基づいて、自車周辺の天候が雨、雪などである場合は、晴天または曇りの場合に比べて、ナビ表示用方面案内看板における屋内施設を表示する頻度を高くし、屋外施設の表示頻度を低くする。
【０１１２】
以上のように、この実施の形態１０によれば、表示頻度制御部１６が、ナビ表示用方面案内看板の表示内容の表示頻度を気象状況に応じて変更するので、自車周辺の気象状況に応じた適切な頻度で、ナビ表示用方面案内看板の表示内容を表示することができる。
【０１１３】
実施の形態１１．
実施の形態１１に係るナビゲーション装置においては、表示頻度制御部１６が、ナビ表示用方面案内看板を表示する頻度を車両の乗員数に応じて変更する。
なお、その他の構成および機能については、上記実施の形態１に係るナビゲーション装置と同様である。
【０１１４】
例えば、表示頻度制御部１６が、人感センサまたは座席センサ（図１に図示せず）により検出された自車の乗員数に基づいて、自車の乗員数を所定の閾値と比較することで、自車の乗員数が多いか否かを判定する。
自車の乗員数が多い場合、進路決定の意見を調整する必要があるため、乗員数が少ない場合に比べて、ナビ表示用方面案内看板を表示する頻度を高くする。これにより、ナビ表示用方面案内看板がディスプレイ９に表示される時間を長くすることができる。
このようにすることで、乗員同士でナビ表示用方面案内看板を利用して進路を決定する時間（進路を検討する時間）を長くとることができる。
【０１１５】
一方、自車の乗員数が少ない場合は意見調整をする必要がないので、表示頻度制御部１６は、乗員数が多い場合に比べてナビ表示用方面案内看板を表示する頻度を低くする。
これにより、ナビ表示用方面案内看板がディスプレイ９に表示される時間を短くすることができる。
【０１１６】
以上のように、この実施の形態１１によれば、表示頻度制御部１６が、ナビ表示用方面案内看板を表示する表示頻度を車両の乗員数に応じて変更するので、自車の乗員数に応じた適切な頻度でナビ表示用方面案内看板を表示することができる。
【０１１７】
実施の形態１２．
実施の形態１２に係るナビゲーション装置においては、表示頻度制御部１６が、ナビ表示用方面案内看板を表示する頻度を時刻に応じて変更する。
なお、その他の構成および機能については、上記実施の形態１に係るナビゲーション装置と同様である。
【０１１８】
例えば、表示頻度制御部１６が、ＧＰＳ信号受信処理部６から取得されたＧＰＳ信号における時刻情報に基づいて、自車が走行している時刻が所定の時間帯であるか否かを判定する。夜間に自車を走行している場合は、ユーザが帰途にあり、お勧め施設を訪問しない可能性があるため、表示頻度制御部１６は、夜間以外の時間帯に比べて、ナビ表示用方面案内看板を表示する頻度を低くする。
【０１１９】
以上のように、この実施の形態１２によれば、表示頻度制御部１６が、ナビ表示用方面案内看板を表示する表示頻度を時刻に応じて変更するので、自車が走行する時刻に応じた適切な頻度でナビ表示用方面案内看板を表示することができる。
【０１２０】
実施の形態１３．
実施の形態１３に係るナビゲーション装置においては、表示頻度制御部１６が、ナビ表示用方面案内看板を表示する頻度を曜日に応じて変更する。
なお、その他の構成および機能については、上記実施の形態１に係るナビゲーション装置と同様である。
【０１２１】
例えば、表示頻度制御部１６が、ＧＰＳ信号受信処理部６から取得されたＧＰＳ信号における時刻情報に基づいて、自車が走行している曜日が休日か平日かを判定する。
自車が休日の曜日に走行している場合、ユーザが自車を利用して旅行している可能性があり、進路決定を行う機会が多いと考えられる。そこで、表示頻度制御部１６が、平日の曜日に比べてナビ表示用方面案内看板を表示する頻度を高くする。これにより、ナビ表示用方面案内看板を利用して進路を決定する時間（進路を検討する時間）を長くとることができる。また、ユーザの嗜好に合った施設を数多く提示することができる。
【０１２２】
以上のように、この実施の形態１３によれば、表示頻度制御部１６が、ナビ表示用方面案内看板を表示する表示頻度を曜日に応じて変更するので、自車が走行する曜日に応じた適切な頻度でナビ表示用方面案内看板を表示することができる。
【０１２３】
実施の形態１４．
実施の形態１４に係るナビゲーション装置においては、表示頻度制御部１６が、ナビ表示用方面案内看板を表示する頻度を車両の走行速度に応じて変更する。
なお、その他の構成および機能については、上記実施の形態１に係るナビゲーション装置と同様である。
【０１２４】
例えば、表示頻度制御部１６が、車速信号処理部５により検出された自車の走行速度に基づいて、自車の走行速度が所定の閾値よりも高いか否かを判定する。
自車の走行速度が所定の閾値より高い場合、ユーザ（運転者）は、ナビ表示用方面案内看板の表示内容を短時間で判読することになるため、運転以外の負荷が増えてしまう。
そこで、表示頻度制御部１６が、自車の走行速度が所定の閾値以下である場合に比べて、ナビ表示用方面案内看板を表示する頻度を低くする。これにより、ナビ表示用方面案内看板を判読する負荷と運転の負荷を合わせた総負荷を軽減することができる。
【０１２５】
以上のように、この実施の形態１４によれば、表示頻度制御部１６が、ナビ表示用方面案内看板を表示する表示頻度を車両の車両速度に応じて変更するので、自車の走行速度に応じた適切な頻度でナビ表示用方面案内看板を表示することができる。
【０１２６】
上記実施の形態１〜１４では、この発明に係るナビゲーション装置が車載用のナビゲーション装置である場合を示したが、これに限定されるものではない。
すなわち、この発明に係るナビゲーション装置は、人、車両、鉄道、船舶または航空機を含む移動体のナビゲーション装置として利用してもよく、特に車両への持ち込みまたは車載に適したナビゲーション装置である。
【０１２７】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１２８】
この発明に係るナビゲーション装置は、ユーザにとって利用しやすい適切な頻度で方面案内看板を表示できるので、例えば車載用のナビゲーション装置に好適である。
【符号の説明】
【０１２９】
１  ナビゲーション装置、２  通信処理部、３  交通情報受信部、４  ジャイロセンサ、５  車速信号処理部、６  ＧＰＳ信号受信処理部、６ａ  車載ＧＰＳアンテナ、７  制御部、８  入力処理部、９  ディスプレイ、１０  アンプ、１０ａ  スピーカ、１１  記憶部、１２  携帯通信端末、１３  方面案内看板生成部、１４  位置方向検出部、１５  表示制御部、１６  表示頻度制御部、１７  経路案内部、１９  ナビゲーション画面、２０  ナビ表示用方面案内看板、２１  自車マーク、２２  交差点（分岐路）、２３  経路。
【図１】
2014054136.tif 000003
【図２】
2014054136.tif 000004
【図３】
2014054136.tif 000005
【図４】
2014054136.tif 000006
【図５】
2014054136.tif 000007
【図６】
2014054136.tif 000008
【図７】
2014054136.tif 000009
【図８】
2014054136.tif 000010
【図９】
2014054136.tif 000011
【図１０】
2014054136.tif 000012
【図１１】
2014054136.tif 000013
【図１２】
2014054136.tif 000014
【図１３】
2014054136.tif 000015
【図１４】
2014054136.tif 000016
【手続補正書】
【提出日】平成26年11月20日(2014.11.20)
【手続補正１】
【補正対象書類名】明細書
【補正対象項目名】０００６
【補正方法】変更
【補正の内容】
【０００６】
この発明に係るナビゲーション装置は、分岐路のナビ表示用方面案内看板を生成する方面案内看板生成部と、方面案内看板生成部により生成されたナビ表示用方面案内看板を表示部に表示する表示制御部と、移動体が移動する道路の特徴位置、分岐先の施設と移動体との位置関係および移動体が移動する道路の利用状況に基づいて、表示制御部がナビ表示用方面案内看板を表示部に表示する表示頻度を制御する表示頻度制御部とを備える。
【手続補正２】
【補正対象書類名】特許請求の範囲
【補正対象項目名】全文
【補正方法】変更
【補正の内容】
【特許請求の範囲】
【請求項１】
移動体に搭載されるナビゲーション装置であって、
分岐路のナビ表示用方面案内看板を生成する方面案内看板生成部と、
前記方面案内看板生成部により生成されたナビ表示用方面案内看板を表示部に表示する表示制御部と、
前記移動体が移動する道路の特徴位置、分岐先の施設と前記移動体との位置関係および前記移動体が移動する道路の利用状況に基づいて、前記表示制御部が前記ナビ表示用方面案内看板を前記表示部に表示する表示頻度を制御する表示頻度制御部とを備えるナビゲーション装置。
【請求項２】
前記表示頻度制御部は、分岐路の路上方面案内看板が設置された特徴位置ごとの表示頻度で前記ナビ表示用方面案内看板を前記表示部に表示するよう前記表示制御部を制御することを特徴とする請求項１記載のナビゲーション装置。
【請求項３】
前記表示頻度制御部は、ユーザの自宅から所定距離以内にある分岐路について前記ナビ表示用方面案内看板の表示頻度を低くするまたは表示させないことを特徴とする請求項１記載のナビゲーション装置。
【請求項４】
前記表示頻度制御部は、常用道路にある分岐路について前記ナビ表示用方面案内看板の表示頻度を低くするまたは表示させないことを特徴とする請求項１記載のナビゲーション装置。
【請求項５】
前記表示頻度制御部は、前記表示制御部に対して、ユーザから表示要求があると、前記ナビ表示用方面案内看板を前記表示部に表示させることを特徴とする請求項１記載のナビゲーション装置。
【請求項６】
前記表示頻度制御部は、前記ナビ表示用方面案内看板を表示する表示頻度を、経路案内の設定がある場合と経路案内の設定がない場合で変更することを特徴とする請求項１記載のナビゲーション装置。
【請求項７】
前記表示頻度制御部は、前記表示制御部に対して、ユーザから要求された表示頻度で、前記ナビ表示用方面案内看板を前記表示部に表示させることを特徴とする請求項１記載のナビゲーション装置。
【請求項８】
前記表示頻度制御部は、前記ナビ表示用方面案内看板を表示する表示頻度を、前記移動体が位置する地域に応じて変更することを特徴とする請求項１記載のナビゲーション装置。
【請求項９】
前記表示頻度制御部は、前記ナビ表示用方面案内看板を表示する表示頻度を、曜日に応じて変更することを特徴とする請求項１記載のナビゲーション装置。
【請求項１０】
前記表示頻度制御部は、前記移動体から施設までの距離が短くなるにつれて、当該施設に至るまでに存在する分岐路の前記ナビ表示用方面案内看板に当該施設を表示する表示頻度を高くすることを特徴とする請求項１記載のナビゲーション装置。
【請求項１１】
前記表示頻度制御部は、前記ナビ表示用方面案内看板の表示内容の表示頻度を、気象状況に応じて変更することを特徴とする請求項１記載のナビゲーション装置。
【請求項１２】
前記表示頻度制御部は、前記ナビ表示用方面案内看板を表示する表示頻度を、時刻に応じて変更することを特徴とする請求項１記載のナビゲーション装置。
【請求項１３】
前記表示頻度制御部は、前記移動体が過去に移動した道路の移動回数または移動時期、もしくはその両方に応じて、当該道路に存在する分岐路の前記ナビ表示用方面案内看板の表示頻度を制御することを特徴とする請求項１記載のナビゲーション装置。
【請求項１４】
前記表示頻度制御部は、前記ナビ表示用方面案内看板を表示する表示頻度を、前記移動体の乗員数に応じて変更することを特徴とする請求項１記載のナビゲーション装置。
【請求項１５】
前記表示頻度制御部は、前記ナビ表示用方面案内看板を表示する表示頻度を、前記分岐先道路の道路状況に応じて変更することを特徴とする請求項１記載のナビゲーション装置。
【請求項１６】
前記表示頻度制御部は、前記ナビ表示用方面案内看板を表示する表示頻度を、前記移動体の移動速度に応じて変更することを特徴とする請求項１記載のナビゲーション装置。
【国際調査報告】
2014054136.tif 000017
2014054136.tif 000018
2014054136.tif 000019
2014054136.tif 000020
2014054136.tif 000021
2014054136.tif 000022